(57)【要約】【課題】左右支柱間に張設可能とされる防球ネットを備え、各支柱が長尺であるため、各支柱がその長手方向の中途部で分断可能とされた防球装置に関するものであって、防球装置の収納、組立作業が容易かつ迅速にできるようにする。【解決手段】防球装置１は、それぞれ縦向き姿勢で地面２上に載置される左右一対の支柱３，３と、支柱３，３に連結されて両支柱３，３間に張設可能とされる防球ネット４とを備える。各支柱３をそれぞれその長手方向の中途部で分断して複数の分断支柱９，９で構成し、分断支柱９，９の各分断端９ａ，９ｂ同士を互いに着脱可能に連結する。縦方向に延び、防球ネット４の左右各側縁部４ａ，４ａにそれぞれ取り付けらる可撓性の筒状体５を設け、各筒状体５の内孔に支柱３を挿入可能とさせ、この挿入により、各支柱３に防球ネット４を連結させる。【選択図】図１
2009061214.tif 000002
【特許請求の範囲】
【請求項１】
それぞれ縦向き姿勢で地面上に載置される左右一対の支柱と、これら支柱に連結されてこれら両支柱間に張設可能とされる防球ネットとを備え、上記各支柱をそれぞれその長手方向の中途部で分断して複数の分断支柱で構成し、これら分断支柱の各分断端同士を互いに着脱可能に連結した防球装置において、
縦方向に延び、上記防球ネットの左右各側縁部にそれぞれ取り付けられる可撓性の筒状体を設け、これら各筒状体の内孔に上記支柱を挿入可能とさせ、この挿入により、これら各支柱に上記防球ネットを連結させるようにしたことを特徴とする防球装置。
【請求項２】
互いに連結された上記両分断支柱の各分断端に対向するよう上記筒状体に開口を形成したことを特徴とする請求項１に記載の防球装置。
【請求項３】
互いに連結された上記両分断支柱の各分断端を、上記支柱の長手方向におけるほぼ中央部に位置させたことを特徴とする請求項２に記載の防球装置。
【発明の詳細な説明】
【技術分野】
【０００１】
本発明は、野球やソフトボールなどの球技において、球が転動や飛翔して意図しない域に向かって移動しようとすることを阻止する防球ネットを備えた防球装置に関するものである。
【背景技術】
【０００２】
上記防球装置には、従来、下記特許文献１に示されるものがある。この公報のものによれば、防球装置は、それぞれ縦向き姿勢で地面に載置される左右一対の支柱と、これら支柱間に配置される防球ネットと、この防球ネットの左右各側縁部を、この側縁部の長手方向に沿った所定ピッチで上記各支柱に対し連結させてこれら両支柱間に上記防球ネットを張設させる複数の面テープとを備えている。また、上記各支柱はそれぞれその長手方向の中途部で分断されて複数の分断支柱で構成され、これら分断支柱の各分断端同士は互いに着脱可能に連結されている。
【０００３】
上記防球装置の収納作業時には、一般に、まず、上記各面テープへの操作により、上記各支柱から防球ネットを離脱させて、この防球ネットを折り畳むと共に、上記各支柱の各分断支柱を互いに離脱させる。そして、これら分断支柱を上記防球ネットと共に重ねることにより、防球装置を全体として小型にさせて、収納状態にさせることが行われる。
【０００４】
一方、上記防球装置の上記収納状態からの組立作業時には、まず、上記各分断支柱を互いに連結させて左右一対の支柱をそれぞれ組み立てる。そして、これら各支柱に対し、上記防球ネットの左右各側縁部を、この側縁部の長手方向に沿って所定ピッチで、上記各面テープにより連結することが行われる。
【特許文献１】特開２００３−３３９９２８号公報
【発明の開示】
【発明が解決しようとする課題】
【０００５】
ところで、上記従来の技術の防球装置では、支柱に対し防球ネットの側縁部を面テープにより所定ピッチで連結しているが、仮に、この所定ピッチの長さを大きく設定したとすると、隣り合う両面テープ間における防球ネットの側縁部の部分と上記支柱との間の隙間が大きくなり、この隙間を防球の対象となる球が通過し易くなって好ましくない。
【０００６】
そこで、上記所定ピッチはある程度短く設定されるが、その分、上記面テープの数は多くなる。このため、防球装置の収納、組立作業では、上記面テープへの操作量が増大することとなり、防球装置の収納、組立作業が煩雑となり、かつ、これら作業に時間を要する。
【課題を解決するための手段】
【０００７】
本発明は、上記のような事情に注目してなされたもので、本発明の目的は、左右一対の支柱と、これら左右支柱間に張設可能とされる防球ネットとを備えた防球装置に関し、より詳しくは、上記各支柱が長尺であるため、これら各支柱がその長手方向の中途部で分断可能とされた防球装置に関するものであって、この防球装置の収納、組立作業が容易かつ迅速にできるようにすることである。
【０００８】
請求項１の発明は、それぞれ縦向き姿勢で地面２上に載置される左右一対の支柱３，３と、これら支柱３，３に連結されてこれら両支柱３，３間に張設可能とされる防球ネット４とを備え、上記各支柱３をそれぞれその長手方向の中途部で分断して複数の分断支柱９，９で構成し、これら分断支柱９，９の各分断端９ａ，９ｂ同士を互いに着脱可能に連結した防球装置において、
縦方向に延び、上記防球ネット４の左右各側縁部４ａ，４ａにそれぞれ取り付けられる可撓性の筒状体５を設け、これら各筒状体５の内孔に上記支柱３を挿入可能とさせ、この挿入により、これら各支柱３に上記防球ネット４を連結させるようにしたことを特徴とする防球装置である。
【０００９】
請求項２の発明は、互いに連結された上記両分断支柱９，９の各分断端９ａ，９ｂに対向するよう上記筒状体５に開口１２を形成したことを特徴とする請求項１に記載の防球装置である。
【００１０】
請求項３の発明は、互いに連結された上記両分断支柱９，９の各分断端９ａ，９ｂを、上記支柱３の長手方向におけるほぼ中央部に位置させたことを特徴とする請求項２に記載の防球装置である。
【００１１】
なお、この項において、上記各用語に付記した符号や図面番号は、本発明の技術的範囲を後述の「実施例」の項や図面の内容に限定解釈するものではない。
【発明の効果】
【００１２】
本発明による効果は、次の如くである。
【００１３】
請求項１の発明は、それぞれ縦向き姿勢で地面上に載置される左右一対の支柱と、これら支柱に連結されてこれら両支柱間に張設可能とされる防球ネットとを備え、上記各支柱をそれぞれその長手方向の中途部で分断して複数の分断支柱で構成し、これら分断支柱の各分断端同士を互いに着脱可能に連結した防球装置において、
縦方向に延び、上記防球ネットの左右各側縁部にそれぞれ取り付けられる可撓性の筒状体を設け、これら各筒状体の内孔に上記支柱を挿入可能とさせ、この挿入により、これら各支柱に上記防球ネットを連結させるようにしている。
【００１４】
このため、上記防球装置の収納作業時には、上記支柱を筒状体に挿入させたままで、上記支柱を構成する各分断支柱の分断端同士を互いに離脱させ、これら分断端の間における防球ネットの部分を屈曲させてこの防球ネットを折り畳むと共に上記各分断支柱を互いに重ねて、上記防球装置を全体として小型にさせ、この防球装置を収納状態にさせればよい。
【００１５】
一方、上記防球装置の上記収納状態からの組立作業時には、上記支柱の各分断支柱を筒状体に挿入させたままで、これら分断支柱と防球ネットとを展開させ、次に、上記各分断支柱の分断端同士を互いに連結させればよい。
【００１６】
よって、上記防球装置の収納、組立作業は、上記各支柱をそれぞれ筒状体に挿入させた状態、つまり、上記各支柱と防球ネットとを連結させたままの状態でできるため、上記作業時において、多くの面テープへの操作により、上記各支柱から防球ネットを離脱させたり、連結させたりしていた従来の技術に比べ、上記収納、組立作業は容易かつ迅速にできる。
【００１７】
請求項２の発明は、互いに連結された上記両分断支柱の各分断端に対向するよう上記筒状体に開口を形成している。
【００１８】
このため、上記支柱の各分断支柱の分断端同士の着脱作業は、上記支柱を筒状体に挿入させたままで、上記開口を通して直接できる。よって、上記防球装置の収納、組立作業は、より容易かつ迅速にできる。
【００１９】
請求項３の発明は、互いに連結された上記両分断支柱の各分断端を、上記支柱の長手方向におけるほぼ中央部に位置させている。
【００２０】
このため、上記支柱の両分断支柱の長さが互いにほぼ同じとなる。よって、上記防球装置の収納作業において、上記両分断支柱を互いに重ねることにより、防球装置を収納状態にさせた時、この防球装置をより小型にすることができて便利である。
【発明を実施するための最良の形態】
【００２１】
本発明の防球装置に関し、左右一対の支柱と、これら左右支柱間に張設可能とされる防球ネットとを備えた防球装置に関し、より詳しくは、上記各支柱が長尺であるため、これら各支柱がその長手方向の中途部で分断可能とされた防球装置に関するものであって、この防球装置の収納、組立作業が容易かつ迅速にできるようにする、という目的を実現するため、本発明を実施するための最良の形態は、次の如くである。
【００２２】
即ち、防球装置は、それぞれ縦向き姿勢で地面上に載置される左右一対の支柱と、これら支柱に連結されてこれら両支柱間に張設可能とされる防球ネットとを備えている。上記各支柱をそれぞれその長手方向の中途部で分断して複数の分断支柱で構成し、これら分断支柱の各分断端同士を互いに着脱可能に連結させる。縦方向に延び、上記防球ネットの左右各側縁部にそれぞれ取り付けらる可撓性の筒状体を設け、これら各筒状体の内孔に上記支柱を挿入可能とさせ、この挿入により、これら各支柱に上記防球ネットを連結させる。
【実施例】
【００２３】
本発明をより詳細に説明するために、その実施例を添付の図に従って説明する。
【００２４】
図１〜３において、符号１は防球装置であり、この防球装置１は、野球やソフトボールなどの球技（練習含む）において、球が転動や飛翔して意図しない域に向かって移動しようとするとき、このような球の移動を阻止するためのものである。
【００２５】
上記防球装置１は、それぞれ縦向き姿勢で地面２上に載置される左右一対の支柱３，３と、これら左右支柱３，３に連結されて、これら左右支柱３，３間に張設される防球ネット４と、縦方向に延び、この防球ネット４の左右各側縁部４ａ，４ａにそれぞれ取り付けられる可撓性の筒状体５と、上記各支柱３を地面２に連結させて上記各支柱３を縦向き姿勢に保持させる複数の保持具６とを備えている。そして、上記各筒状体５の内孔に上記支柱３を挿抜可能に挿入させれば、これら各支柱３に上記防球ネット４の各側縁部４ａが連結され、上記左右支柱３，３間に上記防球ネット４が張設されるようになっている。
【００２６】
上記各支柱３は、断面円形の金属パイプ製であり、全長は略３ｍである。これら各支柱３を、それぞれその長手方向の中途部で分断することにより、複数(２本)の上、下分断支柱９，９が形成されている。つまり、上記各支柱３は、それぞれ上、下分断支柱９，９により構成されている。これら分断支柱９，９の各分断端９ａ，９ｂ同士は互いに着脱可能に連結されている。
【００２７】
具体的には、上分断支柱９の下端である分断端９ａは、縮径加工されて小径部とされている。一方、下分断支柱９の上端である他の分断端９ｂは、他の一般部と同径とされ、この他の分断端９ｂに上記分断端９ａが嵌脱可能に嵌入されている。また、これら両分断端９ａ，９ｂの嵌入状態で、これら両分断端９ａ，９ｂを互いに係脱可能に係止する公知の係止具１０が設けられている。また、互いに連結された両分断端９ａ，９ｂは上記支柱３の長手方向におけるほぼ中央部に位置させられている。
【００２８】
上記防球ネット４は、正面視（図１）で矩形をなし、高さは略３ｍ、幅は４，７，９ｍなど種々のものがある。
【００２９】
上記筒状体５は布製で、その上端の開口は閉じられている。この筒状体５にはその下端の開口を通し、上記支柱３が上記筒状体５の上端内面に当接するまで挿抜可能に挿入される。上記筒状体５の長手方向の中途部が分断されて、これら両分断端の間に開口１２が形成されている。この開口１２は、上記両分断支柱９，９の各分断端９ａ，９ｂに対向するように形成されている。
【００３０】
上記保持具６は、支柱３の上端面に突設される連結環１４と、一端がこの連結環１４に連結され、他端が地面２に杭１５により着脱可能に連結されるロープなどの索条体１６とを備えている。この場合、上記筒状体５の上端部の側面に貫通孔１７が形成され、上記索条体１６の上端部は上記貫通孔１７を貫通している。
【００３１】
上記防球装置１の収納作業時には、まず、保持具６への操作により、地面２に対する各支柱３の保持を解除し、各支柱３、防球ネット４、および各筒状体５を地面２上に横臥させる。次に、上記両分断支柱９の分断端９ａ，９ｂ同士の連結を解除するよう、上記開口１２を通し係止具１０への操作により係止を解除すると共に、上記両分断端９ａ，９ｂの嵌合を解除して、これら９ａ，９ｂを互いにある程度離間させる（図２中二点鎖線）。
【００３２】
次に、上記各支柱３，３が芯材となるよう防球ネット４を巻回Ａし、防球装置１を円柱形状にする（図４中一点鎖線）。次に、上記のように互いに離脱させた両分断支柱９，９の分断端９ａ，９ｂ同士の間における防球ネット４の部分を屈曲Ｂさせて、両分断支柱９，９のうち、一方の分断支柱９に巻回させた防球ネット４の一部分と他方の分断支柱９に巻回させた防球ネット４の他部分とを折り畳むと共に上記各分断支柱９を互いに重ねて（図４中一点、二点鎖線）、上記防球装置１を全体として小型にさせ、この防球装置１を収納状態にさせる。
【００３３】
一方、上記防球装置１の上記収納状態からの組立作業時には、まず、上記のように全体として小型にされた防球装置１を地面２上に展開させる。次に、上記開口１２を通して、上記各分断支柱９の分断端９ａ，９ｂ同士を互いに嵌合させると共に、係止具１０により係止させることにより、上記各分断支柱９，９を互いに連結させる。次に、上記各支柱３、防球ネット４、および各筒状体５が縦向き姿勢となるよう、上記各支柱３をそれぞれ縦向き姿勢で地面２上に載置させる。次に、上記各支柱３を地面２に対し保持具６により保持させる。
【００３４】
よって、上記防球装置１の収納、組立作業は、上記各支柱３をそれぞれ筒状体５に挿入させた状態、つまり、上記各支柱３と防球ネット４とを連結させたままの状態でできるため、上記作業時において、多くの面テープへの操作により、上記各支柱３から防球ネット４を離脱させたり、連結させたりしていた従来の技術に比べ、上記収納、組立作業は容易かつ迅速にできる。
【００３５】
また、前記したように、互いに連結された上記両分断支柱９，９の各分断端９ａ，９ｂに対向するよう上記筒状体５に開口１２を形成している。
【００３６】
このため、上記支柱３の各分断支柱９の分断端９ａ，９ｂ同士の着脱作業は、上記支柱３を筒状体５に挿入させたままで、上記開口１２を通して直接できる。よって、上記防球装置１の収納、組立作業は、より容易かつ迅速にできる。
【００３７】
また、前記したように、互いに連結された上記両分断支柱９，９の各分断端９ａ，９ｂを、上記支柱３の長手方向におけるほぼ中央部に位置させている。
【００３８】
このため、上記支柱３の両分断支柱９の長さが互いにほぼ同じとなる。よって、上記防球装置１の収納作業において、上記両分断支柱９を互いに重ねることにより、防球装置１を収納状態にさせた時、この防球装置１をより小型にすることができて便利である。
【００３９】
なお、以上は図示の例によるが、上記各支柱３の分断支柱９は３本以上であってもよく、この場合には、上記開口１２は各筒状体５にそれぞれ複数形成される。また、上記開口１２は、上記筒状体５の周方向の一部を切り欠いたものであってもよい。
【図面の簡単な説明】
【００４０】
【図１】防球装置の全体正面部分破断図である。
【図２】図１の部分拡大部分破断部分断面図である。
【図３】図２のIII−III線矢視断面図である。
【図４】防球装置の収納作業時の作用説明図である。
【符号の説明】
【００４１】
１    防球装置
２    地面
３    支柱
４    防球ネット
４ａ  側縁部
５    筒状体
６    保持具
９    分断支柱
９ａ  分断端
９ｂ  分断端
１０  係止具
１２  開口
Ａ    巻回
Ｂ    屈曲
【図１】
2009061214.tif 000003
【図２】
2009061214.tif 000004
【図３】
2009061214.tif 000005
【図４】
2009061214.tif 000006